(57)【特許請求の範囲】
【請求項１】
編機用のスライダ編針（１）であって、スライダ通路（７）を備えた編針基体（２）と、スライダ通路（７）内でスライダ編針の長手方向にしゅう動可能に配置され、スライダ通路（７）を通って延びている２つのスライダばね（２２，２３，２２′，２３′）から成るスライダ（３，３′）とを有している形式のものにおいて、両方のスライダばね（２２，２３，２２′，２３′）が、スライダ通路（７）を通して案内されるスライダばね長さ区分において、互いに非対称的に構成され、スライダ通路（７）内で互いに上下に位置するウェブ区分（３４，４７，３４′，４７′）を形成していることを特徴とする、編機用のスライダ編針。
【請求項２】
前記ウェブ区分（３４，４７，３４′，４７′，３４″，４７″）を形成するためにスライダばね（２２，２３，２２′，２３′）が切り欠き（３４ａ，３４ａ′，４７ａ，４７ａ′）を備え、これらの切り欠き（３４ａ，３４ａ′，４７ａ，４７ａ′）がは両方のスライダばね（２２，２３，２２′，２３′）において、互いに異った箇所に配置されていることを特徴とする、請求項１記載のスライダ編針。
【請求項３】
両方のスライダばね（２２，２３，２２′，２３′）の切り欠き（３４ａ，４７ａ，３４ａ′，４７ａ′）が互いに部分的にオーバラップさせられて配置されていることを特徴とする、請求項２記載のスライダ編針。
【請求項４】
両方のスライダばね（２２，２３，２２′，２３′）が１つのスライダ基本（２１，２１′）の１つの固定箇所（８２）において保持されており、両方のスライダばね（２２，２３，２２′，２３′）が固定箇所（８２）から離れる方向に延びているウェブ区分（３４，４７，３４′，４７′）を有しており、これらのウェブ区分（３４，４７，３４′，４７′）がそれぞれ案内区分（３５，４８，３５′，４８′）に移行していることを特徴とする、請求項１から３までのいずれか１項記載のスライダ編針。
【請求項５】
両方のウェブ区分（３４，４７，３４′，４７′）が互いに、オーバラップしないように配置されていることを特徴とする、請求項１又は２記載のスライダ編針。
【請求項６】
両方のスライダばね（２２，２３，２２′，２３′）の案内区分（３５，４８，３５′，４８′）が互いにスライダ編針の長手方向にずらされて配置されていることを特徴とする、請求項４記載のスライダ編針。
【請求項７】
両方のスライダばね（２２，２３，２２′，２３′）が編目保持ノーズ（３３）を有しており、各案内区分（３５，４８，３５′，４８′）と編目保持ノーズ（３３）との間で、両方のスライダばね（２２，２３，２２′，２３′）が互いに非対称的に構成されていることを特徴とする、請求項４記載のスライダ編針。
【請求項８】
両方のスライダばね（２２，２３，２２′，２３′）が互いにほとんどオーバラップなしに構成されていることを特徴とする、請求項１記載のスライダ編針。
【請求項９】
両方のスライダばね（２２，２３，２２′，２３′）の互いに非対称的に構成されているスライダばね長手方向区分がスライダ通路（７）内に配置されていることを特徴とする、請求項１記載のスライダ編針。
【請求項１０】
編針基体（２）の少なくとも一方のスライダ通路側壁（８，９）が開放されている区域（１５）を形成するために少なくとも１つの開口を有しており、この開口を通してたい積異物がスライダ通路（７）から編機の編針通路内に排出可能であることを特徴とする、請求項１記載のスライダ編針。
【請求項１１】
スライダ通路（７）の底が開放された区域を形成するために開口を有し、この開口を通してたい積異物がスライダ通路（７）から編機の編針通路内に排出可能であることを特徴とする、請求項１記載のスライダ編針。
【請求項１２】
両方のスライダばね（２２′，２３′）がそれぞれ１つの上方の接触面（３６，５１）と１つの下方の接触面（３７′，５２′）とを有しており、一方のスライダばね（２２′）の上方の接触面（３６）と下方の接触面（３７′）との間の間隔と、他方のスライダばね（２３′）の上方の接触面（５１）と下方の接触面（５２′）との間の間隔とが等しいことを特徴とする、請求項１記載のスライダ編針。
【請求項１３】
スライダばね（２２′，２３′）がスライダ通路側壁（８，９）よりも高く構成されており、したがって上方の接触面（３６，５１）がスライダ通路側壁（８，９）の上方に配置されていることを特徴とする、請求項１２記載のスライダ編針。
【発明の詳細な説明】
【０００１】
【発明の属する技術分野】
本発明は請求項１又は２の上位概念の特徴を有するスライダ編針に関する。
【０００２】
【従来の技術】
平形横編機あるいは丸編み機のために使用されるようなスライダ編針は、スライダ通路を有する編針基体を有しており、このスライダ通路内でスライダがしゅう動可能に支承されている。編針基体の自由端部にはフックの形の編針ヘッドが構成されており、このフックはスライダによって開閉することができる。編み機は少なくとも１つの平らなあるいは円筒形のかつ又は皿形の針床を有しており、この針床内にはそれぞれ複数の編針通路が構成されている。スライダ編針はこれらの編針通路内で縦方向にしゅう動可能に配置されており、その際スライダ編針は編成過程中縦方向で往復運動を行う。これに調和してスライダは往復に動かさなければならない。このためにスライダはいわゆるバットを有しており、このバットは運動伝達手段として役立ち、湾曲面と係合している。このような湾曲面は例えばいわゆるカム通路の側面である。
【０００３】
編成過程の際には、スライダ編針のヘッドも、またスライダも、糸と接触し、これによって、糸の性質並びに連行される糸のダスト異物に応じて、ダスト又はフィラメントのたい積物がスライダに生ずることがある。例えばウールが編成される場合、ウールに付着しているダスト粒子、ウール洗浄に由来する塩結晶、砂あるいは短いフィラメントがスライダにたい積することがある。スライダの往復運動によってこれらの粒子はスライダ通路内に達することがあり、このことはトラブルを生ぜしめることがある。
【０００４】
US-PS 1 673 634 から、分割されたスライダを有するこのようなスライダ編針が公知である。スライダは互いに結合された２つのスライダばねによって形成され、これらのスライダばねはそれぞれスライダ編針のフックの側方を越えてしゅう動し、これによって拡開せしめられる。
【０００５】
DE 44 30 705 A1 においても、類似した配置が行われている。この場合においてもスライダは２つのスライダばねにより形成され、これらのスライダばねはフックの側方を通り過ぎて拡開し、これによってたい積異物がスライダばねの間に達することがある。
【０００６】
このことは、EP 0 875 614 A2 においても当てはまる。スライダ編針はスライダを案内するスライダ通路を有する編針基体を有している。スライダはスライダ基体によって形成され、このスライダ基体に、互いに対称的に構成された２つのスライダばねが保持されている。これらのスライダばねは運転中編針ヘッドにより周期的に拡開せしめられ、その際汚物及び繊維残部がスライダばねの間に形成されているすき間内に達することがある。
【０００７】
更に、DE-OS 21 46 981 からスライダ編針が公知であり、このスライダ編針の編針基体は後方の開口を備えたスライダ通路を有している。スライダ通路の両方の側壁は開口なしに一貫して構成されており、相互の間にスライダ通路を形成している。スライダ通路内で保持されているスライダは複数の長孔を有しており、これらの長孔は案内ピンによって貫通されている。これらの案内ピンはそれぞれスライダ通路側壁に固定されている。スライダは一体に構成されている。
【０００８】
別の公知のスライダ編針は DE 31 23 785 A1 により開示される。このスライダ編針は互いに対称的に構成された２つのスライダばねに分割されたスライダを有しており、このスライダはスライダ編針の３面を閉じられたスライダ通路内に配置されている。スライダを案内するためにスライダは１つの長孔切り欠きを備えており、この長孔切り欠きは１つの案内ピンによって貫通される。
【０００９】
この場合においても、前述の大抵のスライダ編針におけるように、汚物が両方のスライダばねの間に達することがあるという問題がある。汚物が両方のスライダばねの間に達すると、スライダ通路内でスライダばねが次第に拡開せしめられることがあり、したがってスライダはスライダ通路内で汚れが増大するにつれて動きにくくなる。極端な場合には、スライダは、編目形成、編目移し及び編目外しが阻止されるように、動きにくくなり、スライダ通路内で締め付けられることがある。極端な場合には、編針基体のスライダ通路内でスライダ部分がもはや動くことができず、したがってバットが破損する。
【００１０】
【発明が解決しようとする課題】
ここから出発して、本発明の課題は、汚れにくいスライダ編針を創造することである。
【００１１】
【課題を解決するための手段】
この課題は、代替的に、請求項１によるスライダ編針か、あるいは請求項２によるスライダ編針により解決される。
【００１２】
両方の解決策に共通なことは、分割されたスライダが汚物で負荷される場合に締め付けが生じにくいことである。スライダ通路内には少なくとも１つの室が存在しており、この室内で繊維残部が集まることができ、スライダばねを拡開することはない。請求項１によればスライダばねは互いに非対称的に構成されている。このことは、スライダばねがスライダ通路内で単に部分的にしかオーバラップできず、これによりスライダ通路の部分を埋めないことを意味する。既にこのことによって、スライダ通路内に異物を収容する付加的な緩衝室が形成され、したがってスライダの締め付けが生じにくくなり、かつ早期に締め付けが生じることがなくなる。この場合、スライダ通路が付加的に側方に開いており、換言すれば少なくとも一方のスライダ通路側壁が開口又は切り欠きを有していると、有利である。代替的に、あるいは付加的に、単数又は複数の開口をスライダ通路の底に設けておくことができる。側方の開口はスライダ通路側壁の切り欠きによって形成しておくことができる。スライダと編針基体との間の相対運動によって、両方のスライダばねの非対称性によってスライダ通路側壁に達することのできるたい積物は、これらの開口又は切り欠きを通って編針通路内に排出することができる。編針通路からたい積物は、やはりスライダ編針と編針通路との間の相対運動によって、除去することができる。
【００１３】
この原理は、請求項２によるスライダ編針の根底もなしている。スライダばねの切り欠きはまず、スライダばねの間に集まるたい積物が、スライダばねの間に形成されているすき間からスライダ通路側壁に、かつスライダ通路側壁の開口を通って外部に達することを可能にする。
【００１４】
スライダばねの間に集まるたい積物がスライダばねを固く拡開し、スライダ通路側壁に締め付けることが阻止されることによって、比較的に多くの汚物を有する糸を加工しなければならない場合でも、スライダ編針の軽い動きが持続的に得られる。これにより本発明によるスライダ編針は汚物が付きにくいことが証明される。
【００１５】
【発明の実施の形態】
スライダばねが切り欠きを備えており、これらの切り欠きが両方のスライダばねにおいて互いに異なった箇所に配置されているようにすると有利である。これらの切り欠きは同時に、スライダ通路内に達した汚物のための収容室及び通過部を生ぜしめ、かつ更に汚物がスライダばねの間に締め込まれることを阻止する。このことは、切り欠きが互いに部分的にオーバラップして配置されている場合でも当てはまる。切り欠きのオーバラップは、汚物が固着しスライダばねを拡開することのあるスライダばねの間の範囲を最少限にする。
【００１６】
有利な１実施形態では、スライダ編針は、スライダ基体とスライダばねとから形成されている多部構成のスライダを有している。これらのスライダ部分（スライダ基体及びスライダばね）は解離可能に、あるいは解離不能に互いに結合しておくことができる。スライダばねはスライダ通路を通って縦方向に延びている複数の互いにずらされたウェブ範囲及びウェブ区分を有しており、これらのウェブ範囲及びウェブ区分は有利には互いにオーバラップしていない。これによって前述の利点が特別な程度に達成される。ウェブ区分及びウェブ範囲は有利にはスライダ通路を通って延びており、スライダ通路側壁により側方で案内される。スライダ通路側壁に対して平行な案内は案内区分によって得られ、これらの案内区分に前述のウェブ区分が移行している。有利にはこれらの案内区分は、縦方向に関して、互いにずらされており、したがって汚物は案内区分の間で集まることはない。
【００１７】
更にスライダばねは案内区分とそれぞれの編目支持区分との間でも非対称的に構成しておくことができ、このことはここにおいても汚物集合傾向及び締め付け傾向を減少せしめる。したがってスライダばねは全体として充分にオーバラップなしに構成されている。
【００１８】
スライダばねの互いに非対称的に構成されている区分がほとんどスライダ通路内に配置されているようにすると、有利である。これによってスライダばねの良好な側方案内が達成され、このことは、高い作業速度においてもスライダ編針の確実な作業を可能にする。
【００１９】
【実施例】
以下においては図面に示した実施例に基づいて、本発明の構成を具体的に説明する。
【００２０】
図１においてスライダ編針１が示されており、このスライダ編針には、編針基体２と、２つのスライダばね２２，２３から成るスライダ３と、スライダ基体２１とが所属している。編針基体２は編み機の編針通路内に挿入されるものであって、このために細長い編針シャフト４を有しており、この編針シャフトはその自由端部にフック５を有している。この場合編針シャフト４はフック５から真っ直ぐ縦方向に離れて延びている。フック５に直接に接続してスリット形のスライダ通路７が始まっており、このスライダ通路は両側を２つの通路側壁８，９により仕切られている。通路側壁８，９は面状のプレート形の形成物であって、間隔をおいて互いに平行に編針基体２から直立している。これらの通路側壁はスリット始端１１からまず高さを増大している。次いで、高さが増大しているこの範囲に続く第１の範囲１２においては、通路側壁８，９の高さはほぼコンスタントである。次いで、更に高さを増大させた後に、通路側壁８，９は大きな高さの範囲１４に続いている。したがってスライダ通路７は範囲１２，１４によって形成されている２つの異なった案内区分を有している。
【００２１】
通路側壁８，９は編針基体２の縦方向に関して、フック５から次のような長さを有している。すなわち通路側壁がスライダ編針１の実地の使用中に編針通路から完全に出ることがないような長さを有している。これによってスライダ編針１は少なくともその案内の一部を得る。
【００２２】
通路側壁８，９を支持している範囲に続いて、編針基体２は細長い区分１５を備えており、この区分は縦方向に関して、一方の側では通路側壁８，９によって、かつ他方の側では突起１６によって仕切られる。この区分１５は、スライダ通路７が開かれている範囲を形成している。区分１５の代わりに、側方又は底側の開口を設けておくこともできる。
【００２３】
スライダ３はスライダ基体２１（図４）と２つのスライダばね２２，２３とを有しており、これらのスライダばねはスライダ基体２１に保持されている。スライダ基体は大体において横断面が長方形の細長い部材によって形成され、この部材には単数又は複数のバット２４が構成されている。これらのバットはスライダ基体２１から離れる方向に直角に突出しており、スライダ基体の駆動に役立つ。運転中、バットはカムのカム通路内に係合しており、カムによって編針基体２に対して相対的に動かされる。スライダ基体２１はその前方の範囲に保持範囲８２を有しており、この保持範囲にスライダばね２２，２３が結合されている。スライダ基体２１はその、編針基体２に面した側に平面部８４を有している。スライダ基体２１の厚さは編針基体２の厚さとほぼ同じである。
【００２４】
スライダ３はスライダ基体２１と両方のスライダばね２２，２３とから一体に形成しておくことができ、その際スライダばねは解離可能あるいは解離不能にスライダ基体２１と結合しておくことができる。運転中これらの部分は１つの共通の部分を形成する。
【００２５】
図２及び３はスライダばね２２，２３を別個に示す。スライダばね２２は大体において横断面が長方形の細長い部材によって形成される。スライダばね２２の端部範囲８１からウェブ範囲３４が案内区分３５に延びており、この案内区分は次のように配置されている。すなわちスライダばね２２が編針基体２に挿入若しくは取り付けられている場合に、案内区分３５がスライダ通路７の底に対して明確な間隔を有しているように、配置されている。換言すれば、スライダばね２２はウェブ範囲３４において切り欠き３４ａを有している。
【００２６】
ウェブ範囲３４に続いて案内区分３５が構成されており、この案内区分はスライダ通路７のほぼ全高を有しており、特別な場合にはスライダ通路７を越えて突出している。案内区分３５は下方の接触面３７を備えており、この接触面は使用中スライダ通路７の平らな底に接触し、これにより図３においてスライダ通路の平らな底の高さ位置を示す。
【００２７】
案内区分３５はそのフック５若しくは編目保持ノーズ３３に向いた側を段３８によって仕切られており、この段は接触面３７に対して直角にされていて、ここで再び幅狭いウェブ区分３９に移行している。このウェブ区分３９はプレート形の大きな区分４１を支持しており、この区分４１はその編目保持ノーズ３３に向いた側において編目支持肩４２を形成している。
【００２８】
図２に示したスライダばね２３は図３に示したスライダばね２２に対して区域的に非対称的に構成されている。両方のスライダばね２２，２３はそれらの間の仮想平面に関して鏡像対称的ではない。スライダばね２３においては、端部範囲８１からウェブ範囲４７が案内区分４８にまで延びており、この案内区分のところでウェブ範囲４７は急傾斜の段４９に移行している。スライダばね２３は上方から切り欠き４７ａを備えており、この切り欠きは有利にはスライダばね２２のウェブ範囲３４と側方のオーバラップ部を有している。両方の切り欠き３４ａ，４７ａは、それらの広幅側において部分的にオーバラップするような大きさを有することができる。切り欠き４７ａとは逆の側において、スライダばね２３に接触面５２が構成されている。この下方の接触面５２はスライダ通路７の底に接触する。
【００２９】
スライダばね２３の案内区分４８はスライダばね２２の案内区分３５に対して縦方向でずらされていて、段３８，４９は互いに間隔をおいて配置されている。両方の段３８，４９がオーバラップし、あるいは互いに一線に重なるようにスライダばね２２，２３が構成されているような場合もある。ウェブ範囲３４，４７は充分にオーバラップなしに配置されている。このことは特に図１並びに図５から明らかである。スライダばね２３の案内区分４８はウェブ区分５３を介して、移行部なしに若しくは切り欠き（図示せず）によってプレート状の区分５４に移行している。この区分５４はスライダばね２２の区分４１に対して鏡像対称的に構成されていて、編目支持肩５５を形成している。
【００３０】
スライダ編針１及び特にスライダばね２２及び２３の構成の詳細は図６から明らかである。組み立てられた状態において、スライダ基体２１の保持範囲８２は編針基体２の区分１５内に係合している。スライダばね２２，２３はスライダ通路７を通って自由に延びて居り、その際ウェブ範囲３４，４７は、図５及び６から分かるように、互いに著しくオーバラップしていない。図５に示されているように、ウェブ範囲３４の下縁はウェブ範囲４７の上縁とほぼ同じ高さに配置されている。しかしながら多くの場合において、ここに間隔を設けて、ウェブ範囲３４の下縁がウェブ範囲４７の上縁よりも明確に上方に配置され、切り欠き３４ａ，４７ａが互いにオーバラップするようにすることも有利である。その場合、通路側壁８，９に対して傾斜しているすき間Ｓが形成されている。
【００３１】
付加的に、ウェブ範囲４７がその全長にわたってスライダ通路７の底に接触していないようにすることが有利なことがある。
【００３２】
案内区分３５，４８の段３８，４９は縦方向でずらされていて、これらの段は互いにオーバラップしていない。スライダ通路７は、図１及び６に示すように、フック５に接近して配置され、したがってスリット始端１１はフック５の直近に配置されている。スライダ通路７のこの前方範囲１２はウェブ区分３９，５３をフック５の近くまで案内する。
【００３３】
以上述べたスライダ編針１は次のように働く。
【００３４】
運転中、スライダ３は編針基体２に対して往復に動かされる。引き戻された位置において、スライダばね２２，２３はほとんど完全にスライダ通路７内に引き戻されている。保持範囲８２は区分１５の前方部分を開放しており、したがってスライダ通路７と通路側壁８，９を過ぎて編針通路の側面との間に大面の貫通部が開放されている。
【００３５】
ところでスライダ３が編針基体２に対してしゅう動せしめられると、フック５が編目保持ノーズの間に入り、スライダばね２２，２３を幾分か拡開する。この場合フィラメント、ダストその他のたい積物もスライダばね２２，２３の間に達することがある。スライダ３が次いで再びその引き戻された位置に移されると、スライダばね２２，２３の拡開がやみ、スライダばねはすき間内に達した汚物と一緒にスライダ通路７内に引かれる。しかしながら連行されたフィラメントその他の汚物は次のような場合でもスライダばね２２，２３のスライダ通路７内での締め付けを生ぜしめることはない。すなわち多数の順次に続くストロークの際に常に新しいたい積物がすき間内に達するような場合である。ウェブ範囲３４，４７は互いに押し合うことはなく、互いに通り過ぎる。したがってスライダ編針は汚物の集積をほとんど生じない。更に連行された汚物はウェブ範囲３４，４７と通路側壁８，９との間の相対運動によって区分１５内に、かつ区分１５を通って編針通路内に排出される。
【００３６】
図７はスライダ３の変化せしめられた形状を示す。スライダはスライダ基体２１′と２つのスライダばね２２′，２３′とを有しており、これらのスライダばねはスライダ基体２１′に保持されている。スライダ３′は一体に構成しておくこともできる。スライダ基体２１′は大体において、細長い、横断面が長方形のウェブによって形成され、このウェブには単数又は複数のバット２４′が構成されている。このバットはスライダ基体２１′から離れて直角に突出していて、スライダ基体の駆動に役立つ。運転中バットはカムのカム通路内に係合し、カムにより編針基体２に対して相対的に動かされる。
【００３７】
その前方の範囲において、スライダ基体２１′は案内区分２５を有しており、この案内区分の、編針基体２の方の側に平面部２６が構成されている。案内区分の厚さは、バット２４′に向かって延びているスライダ基体２１′の区分の厚さと同じであって、編針基体２の厚さとほぼ合致している。
【００３８】
案内区分２５には保持区分２７が接続しており、この保持区分は突起としてスライダ基体２１′から離れる方向に区分１５内に突出している。この場合保持区分２７の高さは区分１５の深さと合致している。しかしながら縦方向では保持区分は区分１５よりも短く、したがってスライダ３′の著しい縦方向運動が可能である。
【００３９】
更にスライダ３′はその保持区分２７に、偏平で幅広い、側方に開いた溝２８をスライダばね２２′，２３′の保持端部２９の取り付けのために有しており、スライダばねはスライダ基体２１′の窓切り欠き３１にかしめ結合されている。
【００４０】
保持端部２９からスライダばね２２′，２３′は窓切り欠き３１若しくは固定箇所を過ぎて延びている。スライダばねはそれぞれ固定バット３２で窓切り欠き３１内に係合し、窓切り欠きにかしめ結合されている。最も外方の端部は編目保持ノーズ３３によって形成される。
【００４１】
図８及び９においてはスライダばね２２′，２３′が別個に示されている。スライダばね２２′は大体において、細長い、横断面が長方形の部材によって形成される。その保持端部２９からウェブ範囲３４′が案内区分３５′に延びている。固定バット３２に続いてスライダばね２２′はウェブ範囲３４′に移行しており、このウェブ範囲は編針基体の通路側壁８，９よりも低く、かつ次のように配置されている。すなわちスライダ３′が編針基体２に挿入若しくは装着されている場合に、ウェブ範囲３４′がスライダ通路７の底に対して明確な間隔を有しているように、配置されている。換言すれば、スライダばね２２′はウェブ範囲３４′内に切り欠き３４ａ′を有している。
【００４２】
ウェブ範囲３４′に続いて案内区分３５′が構成されており、この案内区分はスライダ通路７のほぼ全高を有していて、特別な用途の場合にはスライダ通路を越えて突出している。その上方の端部において案内区分はスライダ基体２１′の案内区分２５の平面部２６のための接触面３６を備えている。その逆の方の側において案内区分３５′は下方の接触面３７′を備えており、この接触面は使用中スライダ通路７の平らな底に接触していて、これにより図８においてスライダ通路の高さを示している。
【００４３】
案内区分３５′はその、フック５若しくは編目保持ノーズ３３に向いた側において段３８′によって仕切られており、この段は接触面３７′に対して直角に向けられていて、ここで更に、幅狭いウェブ区分３９′に移行している。このウェブ区分３９′はプレート形の大きな区分４１′を支持しており、この区分４１′はその、編目保持ノーズ３３に向いた側において、編目支持肩４２′を形成している。
【００４４】
図９に示したスライダばね２３′はスライダばね２２′に対して区域的に非対称的に構成されている。両方のスライダ場園２２′，２３′はそれらの間の仮想平面に関して鏡像対称的ではない。スライダばね２３′においては保持端部２９からウェブ範囲４７′が案内区分４８′に延びていて、この案内区分に急傾斜の段４９′をもって移行している。スライダばね２３′は上方から切り欠き４７ａ′を備えており、この切り欠きは有利にはスライダばね２２′のウェブ範囲３４′と側方のオーバラップを有している。両方の切り欠き３４ａ′，４７ａ′は、それらの広幅側で部分的に互いにオーバラップするような大きさを有することができる。案内区分４８′はその上側に接触面５１を有しており、この接触面は使用中スライダ基体２１′の平面部２６と接触している。その下側の、接触面５１とは逆の側において、スライダばね２３′に接触面５２′が構成されており、この接触面はウェブ範囲４７′の大部分にわたって延びている。この下方の接触面５２′はスライダ通路７の底に接触している。
【００４５】
付加的に、ウェブ範囲４７′がその全長にわたってスライダ通路７の底に接触していないと、有利なことがある。このためにウェブ範囲４７′は図９に示した段５８を有している。
【００４６】
スライダばね２３′の案内区分４８′はスライダばね２２′の案内区分３５′に対して縦方向にずらされていて、段３８′，４９′はほぼ重なり合って位置しているか、あるいはわずかな縦方向相互間隔で配置されている。スライダばね２２′，２３′が、両方の段３８′，４９′がオーバラップするか、あるいは１線に並ぶように、構成されている用途も考えられる。またほとんどオーバラップなしに、ウェブ範囲３４′，４７′が配置されている。スライダばね２３′は案内区分４８′に続いてウェブ区分５３′を有しており、このウェブ区分はプレート状の区分５４′に移行している。この区分はスライダばね２２′の区分４１′に対して鏡像対称的に構成されていて、編目支持肩５５′を形成している。
【００４７】
スライダ編針１の変化せしめられた実施例は図１０及び１１のスライダばね２２″及び２３″により得られる。スライダばね２２″，２３″は互いに鏡像対称的に構成されており、その際それらのウェブ範囲又はウェブ区分３４″，３９″若しくは４７″，５３″には長孔形の切り欠き６１，６２が構成されており、これらの切り欠きは繊維その他のたい積物のための集め室として役立つことができるとともに、少なくとも時折編針基体２の区分１５内に移すことができ、したがって存在しているたい積物をここで編針通路内に排出することができる。場合によってはスライダばね２２″，２３″を有するスライダ編針は、図２，３若しくは８及び９のスライダばね２２，２３あるいは２２′，２３′を有するスライダ編針よりも締め付けが生じにくい。その他の点ではスライダばね２２″，２３″はスライダばね２２′，２３′とほぼ合致しており、前の説明を援用する。スライダばね２２″，２３″は、切り欠き６１，６２を相互にずらすことによって、非対称的に構成することもできる。
【００４８】
スライダ編針１はスライダ３を有しており、このスライダは２つのスライダばね２２，２３を有している。これらのスライダばねは互いに非対称的に構成されているか、あるいは少なくとも開口又は切り欠き３４ａ，４７ａを備えており、これらの開口又は切り欠きはスライダ編針１の運転の際にスライダ編針１の基体２内の相応する切り欠き１５その他の開口と合致せしめられ、したがってたい積物を編針通路内に排出することができる。スライダばね２２，２３の非対称的な構成は、たい積物が不完全にしか除去されない場合でも、スライダ３がスライダ通路７内で固く締め付けられることを阻止し、このことはスライダ編針１の摩滅を著しく減少させ、運転の確実性を高める。
【図面の簡単な説明】
【図１】本発明によるスライダ編針の分解斜視図である。
【図２】図１に示したスライダ編針１の一方のスライダばね２３の側面図である。
【図３】図１に示したスライダ編針１の他方のスライダばね２２の側面図である。
【図４】図１に示したスライダ編針１の両方のスライダばね２２，２３のスライダ基体２１の側面図である。
【図５】図１に示したスライダ編針の、図６の VI−VI 線に沿った異なった尺度の断面図である。
【図６】図１に示したスライダを有するスライダ編針の斜視図である。
【図７】別の実施例のスライダ編針のスライダの側面図である。
【図８】図７に示したスライダに所属する一方のスライダばね２２′の側面図である。
【図９】図７に示したスライダに所属する他方のスライダばね２３′の側面図である。
【図１０】更に別の実施例のスライダ編針のスライダの一方のスライダばね２２″の側面図である。
【図１１】図１０に示したスライダ編針のスライダの他方のスライダばね２３″の側面図である。
【符号の説明】
１  スライダ編針、  ２  編針基体、  ３  スライダ、  ３′  スライダ、  ４編針シャフト、  ５  フック、  ７  スライダ通路、  ８  通路側壁、  ９  通路側壁、  １１  スリット始端、  １２  前方範囲、  １４  範囲、  １５  区分、  １６  突起、  ２１  スライダ基体、  ２１′  スライダ基体、  ２２スライダばね、  ２２′  スライダばね、  ２２″  スライダばね、  ２３  スライダばね、  ２３′  スライダばね、  ２３″  スライダばね、  ２４  バット、  ２４′  バット、  ２５  案内区分、  ２６  平面部、  ２７  保持区分、  ２８  溝、  ２９  保持端部、  ３１  窓切り欠き、  ３２  固定バット、  ３３  編目保持ノーズ、  ３４  ウェブ範囲、  ３４′  ウェブ範囲、  ３４″  ウェブ範囲、  ３４ａ  切り欠き、  ３４ａ′  切り欠き、  ３５  案内区分、  ３５′  案内区分、  ３６  接触面、  ３７  接触面、  ３７′接触面、  ３８  段、  ３８′  段、  ３９  ウェブ区分、  ３９′  ウェブ区分、  ３９″  ウェブ区分、  ４１  区分、  ４１′  区分、  ４２  編目支持肩、  ４２′  編目支持肩、  ４７  ウェブ範囲、  ４７′  ウェブ範囲、  ４７″  ウェブ範囲、  ４７ａ  切り欠き、  ４７ａ′  切り欠き、  ４８  案内区分、４８′  案内区分、  ４９  段、  ４９′  段、  ５１  接触面、  ５２  接触面、  ５２′  接触面、  ５３  ウェブ区分、  ５３′  ウェブ区分、  ５３″  ウェブ区分、  ５４  区分、  ５４′  区分、  ５５  編目支持肩、  ５５′  編目支持肩、  ５８  段、  ６１  切り欠き、  ６２  切り欠き、  ８１  端部範囲、  ８２  保持範囲、  ８４  平面部、  Ｓ  すき間
【図１】
0004056690.tif 000002
【図２】
0004056690.tif 000003
【図３】
0004056690.tif 000004
【図４】
0004056690.tif 000005
【図５】
0004056690.tif 000006
【図６】
0004056690.tif 000007
【図７】
0004056690.tif 000008
【図８】
0004056690.tif 000009
【図９】
0004056690.tif 000010
【図１０】
0004056690.tif 000011
【図１１】
0004056690.tif 000012